(57)【特許請求の範囲】
【請求項１】
再選択においてセルを測定するための周波数を決定するための方法であって、
再選択のためのセルを測定する周波数のセットの優先順位を上げることと、ここにおいて、周波数の前記セット内の１つ以上の第１の周波数は、以前に訪れたクローズド加入者グループ（ＣＳＧ）のセルの周波数に対応する、
前記１つ以上の第１の周波数の少なくとも一部分に特有の１つ以上のルールを１つ以上のネットワークノードから受信することと、
再選択のために１つ以上の第２の周波数の優先順位を下げるためのコマンドを受信することと、
前記コマンドに少なくとも部分的に基づいて周波数の前記優先順位を上げられたセット内の前記１つ以上の第２の周波数の優先順位を下げるかどうかを、前記１つ以上のルールに少なくとも部分的に基づいて、決定することと、
周波数の前記セットのそれぞれの優先度に少なくとも部分的に基づいて周波数の前記優先順位を上げられたセットにわたって１つ以上のセルを測定することと、
再選択のために前記１つ以上のセルを評価することと
を備える、方法。
【請求項２】
前記１つ以上の第２の周波数の優先順位を下げるかどうかを決定することは、サービングセルと通信することに関連している１つ以上のパラメータを評価することを備える、請求項１に記載の方法。
【請求項３】
前記１つ以上のパラメータは、前記サービングセルと通信することの品質を含む、請求項２に記載の方法。
【請求項４】
前記１つ以上の第２の周波数の優先順位を下げるかどうかを決定することは、１つ以上のセルを前記測定する際に、前記１つ以上の第２の周波数を除外すると決定することを備え、前記１つ以上のセルを前記測定することは、周波数の前記優先順位を上げられたセット内の前記１つ以上の第１の周波数の残りの部分にわたって自律検索機能を実行することを備える、請求項１に記載の方法。
【請求項５】
前記１つ以上の第２の周波数の優先順位を下げるかどうかを決定することは、前記コマンドにかかわらず、周波数の前記優先順位を上げられたセット内の前記１つ以上の第２の周波数の優先順位を下げることを控えることを備える、請求項１に記載の方法。
【請求項６】
前記１つ以上のセルを前記測定することは、周波数の前記優先順位を上げられたセットにわたって自律検索機能を実行することを備える、請求項５に記載の方法。
【請求項７】
再選択においてセルを測定するための周波数を決定するための装置であって、
再選択のためのセルを測定する周波数のセットの優先順位を上げるように構成された周波数優先度コンポーネントと、ここにおいて、周波数の前記セット内の１つ以上の第１の周波数は、以前に訪れたクローズド加入者グループ（ＣＳＧ）のセルの周波数に対応する、
前記１つ以上の第１の周波数の少なくとも一部分に特有の１つ以上のルールを１つ以上のネットワークノードから受信するように構成されたルール受信コンポーネントと、
再選択のために１つ以上の第２の周波数の優先順位を下げるためのコマンドを受信することと、前記コマンドに少なくとも部分的に基づいて周波数の前記優先順位を上げられたセット内の前記１つ以上の第２の周波数の優先順位を下げるかどうかを、前記１つ以上のルールに少なくとも部分的に基づいて、決定することとを行うように構成された優先順位下げコマンド受信コンポーネントと、
周波数の前記セットのそれぞれの優先度に少なくとも部分的に基づいて周波数の前記優先順位を上げられたセットにわたって１つ以上のセルを測定することと、再選択のために前記１つ以上のセルを評価することとを行うように構成されたセル再選択コンポーネントと
を備える、装置。
【請求項８】
前記優先順位下げコマンド受信コンポーネントは、少なくとも部分的に、サービングセルと通信することに関連している１つ以上のパラメータを評価することによって、前記１つ以上の第２の周波数の優先順位を下げるかどうかを決定するように構成される、請求項７に記載の装置。
【請求項９】
前記１つ以上のパラメータは、前記サービングセルと通信することの品質を含む、請求項８に記載の装置。
【請求項１０】
前記優先順位下げコマンド受信コンポーネントは、１つ以上のセルを前記測定する際に、前記１つ以上の第２の周波数を除外するように構成され、前記セル再選択コンポーネントは、少なくとも部分的に、周波数の前記優先順位を上げられたセット内の前記１つ以上の第１の周波数の残りの部分にわたって自律検索機能を実行することによって、前記１つ以上のセルを測定するように構成される、請求項７に記載の装置。
【請求項１１】
前記優先順位下げコマンド受信コンポーネントは、前記コマンドにかかわらず、周波数の前記優先順位を上げられたセット内の前記１つ以上の第２の周波数の優先順位を下げることを控えるように構成される、請求項７に記載の装置。
【請求項１２】
前記セル再選択コンポーネントは、少なくとも部分的に、周波数の前記優先順位を上げられたセットにわたって自律検索機能を実行することによって、前記１つ以上のセルを測定するように構成される、請求項１１に記載の装置。
【請求項１３】
再選択においてセルを測定するための周波数を決定するための方法であって、
再選択のためのセルを測定する周波数のセットの優先順位を上げることと、ここにおいて、周波数の前記セット内の１つ以上の第１の周波数は、マルチメディアブロードキャストマルチキャストサービス（ＭＢＭＳ）周波数に対応する、
前記１つ以上の第１の周波数の少なくとも一部分に特有の１つ以上のルールを１つ以上のネットワークノードから受信することと、
再選択のために１つ以上の第２の周波数の優先順位を下げるためのコマンドを受信することと、
前記コマンドに少なくとも部分的に基づいて周波数の前記優先順位を上げられたセット内の前記１つ以上の第２の周波数の優先順位を下げるかどうかを、前記１つ以上のルールに少なくとも部分的に基づいて、決定することと、
周波数の前記セットのそれぞれの優先度に少なくとも部分的に基づいて周波数の前記優先順位を上げられたセットにわたって１つ以上のセルを測定することと、
再選択のために前記１つ以上のセルを評価することと
を備える、方法。
【請求項１４】
前記１つ以上の第２の周波数の優先順位を下げるかどうかを決定することは、サービングセルと通信することに関連している１つ以上のパラメータを評価することを備える、請求項１３に記載の方法。
【請求項１５】
前記１つ以上のパラメータは、前記サービングセルと通信することの品質を含む、請求項１４に記載の方法。
【請求項１６】
前記１つ以上の第２の周波数の優先順位を下げるかどうかを決定することは、１つ以上のセルを前記測定する際に、前記１つ以上の第２の周波数の優先順位を下げると決定することを備える、請求項１３に記載の方法。
【請求項１７】
前記１つ以上の第２の周波数の優先順位を下げるかどうかを決定することは、前記コマンドにかかわらず、周波数の前記優先順位を上げられたセット内の前記１つ以上の第２の周波数の優先順位を下げることを控えることを備える、請求項１３に記載の方法。
【請求項１８】
再選択においてセルを測定するための周波数を決定するための装置であって、
再選択のためのセルを測定する周波数のセットの優先順位を上げるように構成された周波数優先度コンポーネントと、ここにおいて、周波数の前記セット内の１つ以上の第１の周波数は、マルチメディアブロードキャストマルチキャストサービス（ＭＢＭＳ）周波数に対応する、
前記１つ以上の第１の周波数の少なくとも一部分に特有の１つ以上のルールを１つ以上のネットワークノードから受信するように構成されたルール受信コンポーネントと、
再選択のために１つ以上の第２の周波数の優先順位を下げるためのコマンドを受信することと、前記コマンドに少なくとも部分的に基づいて周波数の前記優先順位を上げられたセット内の前記１つ以上の第２の周波数の優先順位を下げるかどうかを、前記１つ以上のルールに少なくとも部分的に基づいて、決定することとを行うように構成された優先順位下げコマンド受信コンポーネントと、
周波数の前記セットのそれぞれの優先度に少なくとも部分的に基づいて周波数の前記優先順位を上げられたセットにわたって１つ以上のセルを測定することと、再選択のために前記１つ以上のセルを評価することとを行うように構成されたセル再選択コンポーネントと
を備える、装置。
【請求項１９】
前記優先順位下げコマンド受信コンポーネントは、少なくとも部分的に、サービングセルと通信することに関連している１つ以上のパラメータを評価することによって、前記１つ以上の第２の周波数の優先順位を下げるかどうかを決定するように構成される、請求項１８に記載の装置。
【請求項２０】
前記１つ以上のパラメータは、前記サービングセルと通信することの品質を含む、請求項１９に記載の装置。
【請求項２１】
前記優先順位下げコマンド受信コンポーネントは、１つ以上のセルを前記測定する際に、前記１つ以上の第２の周波数の優先順位を下げると決定するように構成される、請求項１８に記載の装置。
【請求項２２】
前記優先順位下げコマンド受信コンポーネントは、前記コマンドにかかわらず、周波数の前記優先順位を上げられたセット内の前記１つ以上の第２の周波数の優先順位を下げることを控えるように構成される、請求項１８に記載の装置。
【発明の詳細な説明】
【関連出願の相互参照】
【０００１】
[0001]  本特許出願は、２０１５年２月２３日に出願され、この譲受人に譲渡され、引用によりここに明確に組み込まれる、「TECHNIQUES FOR RESOLVING CONFLICTING RULES IN MEASURING CELLS FOR RESELECTION」と題する、米国非仮出願番号第１４／６２９，２２４号の優先権を主張する。
【背景技術】
【０００２】
[0002]  ワイヤレス通信システムは、電話通信、ビデオ、データ、メッセージング、およびブロードキャストのような、様々な電気通信サービスを提供するために広く展開されている。典型的なワイヤレス通信システムは、利用可能なシステムリソース（例えば、帯域幅、送信電力）を共有することによって複数のユーザとの通信をサポートすることができる多元接続技術を用い得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００３】
[0003]  これらの多元接続技術は、異なるワイヤレスデバイスが都市、国家、地域、さらには地球規模で通信することを可能にする共通プロトコルを提供するために、様々な電気通信規格において採用されてきた。電気通信規格の一例は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）のモバイル規格の拡張セットである。一般的に、ワイヤレス多元接続通信システムは、複数のワイヤレス端末（例えば、ユーザ機器（ＵＥ））のための通信を同時にサポートすることができ、それらの各々は、ダウンリンクまたはアップリンクリソース上で１つ以上の基地局と通信することができ、ここで、その基地局は、ワイヤレス端末と通信するためのダウンリンクまたはアップリンクリソースのためのリソースグラントを生成することができる。
【０００４】
[0004]  再選択のためのセルを測定する際にＵＥの周波数の優先順位上げ（prioritization）または優先順位下げ（deprioritization）を定義する、様々な機構がＬＴＥに存在する。例えば、ＵＥは、他の示されたセルの優先度にかかわらず再選択のためのセルを測定する際に、クローズド加入者グループ（ＣＳＧ）セルと通信するのに以前に利用された周波数の優先順位を上げ得る（prioritize）。別の例において、ＵＥは、他の示されたセルの優先順位にかかわらず、ＭＢＭＳセッション中にマルチメディアブロードキャストマルチキャストサービス（ＭＢＭＳ）周波数の優先順位を上げ得る。さらに、例えば、ＵＥは、再選択のためのセルを測定する際に、無線リソース制御（ＲＲＣ）接続拒否メッセージにおいて１つ以上の周波数の優先順位を下げる（deprioritize）ための１つ以上の優先順位下げコマンドを受信し得る。ＵＥは、現在、周波数の優先順位を上げる他のルールの構成なしでセルを測定する際に、そのような周波数の優先順位を下げるが、そのような動作が常に望ましいわけではない。
【発明の概要】
【０００５】
[0005]  以下は、１つ以上の態様の基本的な理解を提供するために、そのような態様の簡略化された概要を提示する。この概要は、意図された全ての態様の広範な概観ではなく、全ての態様の重要なまたは決定的な要素を特定することも、任意のまたは全ての態様の範囲を詳細に説明することも意図していない。その唯一の目的は、１つ以上の態様のいくつかの概念を、後に提示されるより詳細な説明への前置きとして、簡略化された形態で提示することである。
【０００６】
[0006]  一例に従って、再選択においてセルを測定するための周波数を決定するための方法が提供される。方法は、再選択のためのセルを測定する周波数のセットの優先順位を上げることと、ここにおいて、周波数のセット内の１つ以上の第１の周波数は以前に訪れた（previously visited）クローズド加入者グループ（ＣＳＧ）セルの周波数に対応する、再選択のために１つ以上の第２の周波数の優先順位を下げるためのコマンドを受信することと、コマンドに少なくとも部分的に基づいて周波数の優先順位を上げられたセット内の１つ以上の第２の周波数の優先順位を下げるかどうかを決定することを含む。方法は、周波数のセットのそれぞれの優先度に少なくとも部分的に基づいて周波数の優先順位を上げられたセットにわたって１つ以上のセルを測定することと、再選択のために１つ以上のセルを評価することをさらに含むことができる。
【０００７】
[0007]  別の例において、再選択においてセルを測定するための周波数を決定するための装置が提供され、それは、再選択のためのセルを測定する周波数のセットの優先順位を上げるように構成された周波数優先度コンポーネントと、ここにおいて、周波数のセット内の１つ以上の第１の周波数は以前に訪れたＣＳＧセルの周波数に対応する、再選択のために１つ以上の第２の周波数の優先順位を下げるためのコマンドを受信し、コマンドに少なくとも部分的に基づいて周波数の優先順位を上げられたセット内の１つ以上の第２の周波数の優先順位を下げるかどうかを決定するように構成された優先順位下げコマンド受信コンポーネントを含む。装置は、周波数のセットのそれぞれの優先度に少なくとも部分的に基づいて周波数の優先順位を上げられたセットにわたって１つ以上のセルを測定し、再選択のために１つ以上のセルを評価するように構成されたセル再選択コンポーネントをさらに含む。
【０００８】
[0008]  さらに別の例において、再選択において測定セルのための周波数を決定するための方法が提供される。方法は、再選択のためのセルを測定する周波数のセットの優先順位を上げることと、ここにおいて、周波数のセット内の１つ以上の第１の周波数はマルチメディアブロードキャストマルチキャストサービス（ＭＢＭＳ）周波数のセルに対応する、再選択のために１つ以上の第２の周波数の優先順位を下げるためのコマンドを受信することと、コマンドに少なくとも部分的に基づいて周波数の優先順位を上げられたセット内の１つ以上の第２の周波数の優先順位を下げるかどうかを決定することを含む。方法は、周波数のセットのそれぞれの優先度に少なくとも部分的に基づいて周波数の優先順位を上げられたセットにわたって１つ以上のセルを測定することと、再選択のために１つ以上のセルを評価することをさらに含むことができる。
【０００９】
[0009]  別の例において、再選択においてセルを測定するための周波数を決定するための装置が提供され、それは、再選択のためのセルを測定する周波数のセットの優先順位を上げるように構成された周波数優先度コンポーネントと、ここにおいて、周波数のセット内の１つ以上の第１の周波数はＭＢＭＳ周波数に対応する、再選択のために１つ以上の第２の周波数の優先順位を下げるためのコマンドを受信し、コマンドに少なくとも部分的に基づいて周波数の優先順位を上げられたセット内の１つ以上の第２の周波数の優先順位を下げるかどうかを決定するように構成された優先順位下げコマンド受信コンポーネントを含む。装置は、周波数のセットのそれぞれの優先度に少なくとも部分的に基づいて周波数の優先順位を上げられたセットにわたって１つ以上のセルを測定し、再選択のために１つ以上のセルを評価するように構成されたセル再選択コンポーネントをさらに含む。
【００１０】
[0010]  前述した目的および関連する目的を達成するために、１つ以上の態様は、以下に十分に説明され、特許請求の範囲において具体的に示される特徴を備える。以下の説明および添付図面は、１つ以上の態様のある特定の例示的な特徴を詳細に説明する。しかしながら、これらの特徴は、様々な態様の原理が用いられ得る様々な手法のほんの一部を示すものであり、この説明は、そのような全ての態様およびそれらの同等物を含むことを意図する。
【図面の簡単な説明】
【００１１】
【図１】[0011]  図１は、セルの再選択を実行するための例示的なワイヤレス通信システムを例示するブロック図である。
【図２】[0012]  図２は、セルの再選択においてセルを測定するための周波数のセットの優先順位を上げるための例示的な方法を表す複数の機能ブロックを含むフロー図である。
【図３】[0013]  図３は、セルの再選択においてセルを測定するための周波数のセットの優先順位を上げるための例示的な方法を表す複数の機能ブロックを含むフロー図である。
【図４】[0014]  図４は、処理システムを用いる装置のためのハードウェアの実現の例を例示する図である。
【図５】[0015]  図５は、アクセスネットワークにおける発展型ノードＢおよびユーザ機器の一例を例示する図である。
【詳細な説明】
【００１２】
[0016]  添付の図面に関連して以下に述べられる詳細な説明は、様々な構成の説明として意図したものであり、本明細書に説明される概念が実施され得る唯一の構成を表すように意図したものではない。詳細な説明は、様々な概念の完全な理解を提供する目的で、具体的な詳細を含む。しかしながら、これらの概念がこれらの具体的な詳細なしに実施され得ることが当業者には明らかになるであろう。いくつかの例では、そのような概念をあいまいにすることを避けるために、周知のコンポーネントがブロック図の形式で示される。さらに、一態様において、コンポーネントは、一般的に、システムを構成するパーツのうちの１つである、ハードウェアまたはソフトウェアであり得る、および／または他のコンポーネントへ分割され得ると理解され得る。
【００１３】
[0017]  １つ以上の周波数を含む１つ以上の周波数の優先順位を下げるためのコマンドが受信された場合には、セルの再選択を実行する際にセルを測定するための周波数のセットの優先順位を上げることに関する様々な態様が本明細書で説明される。例えば、セルの再選択は、任意の再選択機構を実質的に含むことができ、ここで、（例えば、ブロードキャストおよび／またはページング信号を受信するために）アイドルモードでネットワークと通信するＵＥは、１つ以上の周波数上でワイヤレスネットワークアクセスを提供する周辺セルを測定し、（例えば、様々な他の構成の、提供されたサービス、信号品質に従って）１つ以上のセルを評価し、（例えば、サービングセルの代わりに、またはそれに加えて）ワイヤレスネットワークアクセスを受信するために１つ以上のセルに接続するかどうかを決定することができる。例えば、セルの再選択は、第３世代パートナーシッププロジェクト（３ＧＰＰ）ロングタームエボリューション（ＬＴＥ）におけるアイドルモードのセルの再選択に対応し得る。さらに、１つ以上の周波数の優先順位を下げるためのコマンド（本明細書では、優先順位下げコマンドとも称される）は、セルの再選択の一部として１つ以上の周波数のその後の測定で１つ以上の周波数の優先順位を下げるためにサービングネットワークノードから受信されるコマンドに関連し得る。例えば、コマンドは、優先順位を下げるべき１つ以上の周波数のインジケーションを含む無線リソース制御（ＲＲＣ）接続拒否メッセージに関連することができる。具体例において、３ＧＰＰ技術仕様（ＴＳ）３６．３０４セクション５．２．４．１は、概して、ＵＥがｄｅｐｒｉｏｒｉｔｓａｔｉｏｎＲｅｑと共にＲＲＣＣｏｎｎｅｃｔｉｏｎＲｅｊｅｃｔを受信する場合には、ＵＥは、タイマＴ３２５が作動している間、現在のキャリア周波数および記憶された周波数または任意の発展型ユニバーサルモバイル電気通信システム（ＵＭＴＳ）地上波無線アクセス（ＥＵＴＲＡ）周波数を最も優先度の低い周波数であると考慮することができることを示す。
【００１４】
[0018]  一例において、周波数の優先順位を上げられたセットは、ＵＥがセルの再選択を実行するのに好ましいと考慮する周波数を含み得る。例えば、これは、１つ以上のクローズド加入者グループ（ＣＳＧ）セルと通信する際に利用される１つ以上の周波数、ＭＢＭＳセッションが進行中の場合には１つ以上のマルチメディアブロードキャストマルチキャストサービス（ＭＢＭＳ）周波数、等を含み得る。一例において、３ＧＰＰ ＴＳ ３６．３０４セクション５．２．４．８．１は、概して、ＵＥが非サービング周波数上で少なくとも以前に訪れたＣＳＧメンバーセルを検出するためにセルの再選択に加えて自律検索機能を使用することができ、また、ＵＥがこれら周波数上で１つ以上の適切なＣＳＧセルを検出した場合、ＵＥはＵＥが現在キャンプしている非ＣＳＧセルの周波数の優先度に関係なく再選択することができることを示す。セクション５．２．４．１は、概して、ＵＥがＣＳＧセル間で再選択する際に現在のサービング周波数を最も優先度の高い周波数であると考慮することができることを示す。よって、例えば、いずれにしても、非サービングまたはサービング周波数は、この点において周波数の優先順位を上げられたセット内で優先順位を上げられることができる。セクション５．２．４．１はまた、概して、ＵＥがＭＢＭＳサービスの継続（continuity）を可能にし、ＭＢＭＳサービスを受信または受信することに関心があり、ＭＢＭＳサービスを、それが提供される周波数にキャンプしている間に受信することができる場合、ＵＥは周波数がＭＢＭＳセッション中で最も優先度の高いものであると考慮し得ることを示す。よって、例えば、そのようなＭＢＭＳ周波数は、この点において周波数の優先順位を上げられたセット内で優先順位を上げられることができる。
【００１５】
[0019]  従って、例えば、ＵＥは、優先順位下げコマンドに基づいて周波数の優先順位を上げられたセット内の１つ以上の周波数の優先順位を下げるかどうかを決定することができる。例えば、これは、コマンドに基づいて、およびＣＳＧまたはＭＢＭＳ周波数のような周波数の優先度にかかわらず、１つ以上の周波数の優先順位を下げると決定することを含むことができる。別の例において、ＵＥは、ＣＳＧまたはＭＢＭＳのような周波数の優先度に基づいて、および優先順位下げのリクエストにかかわらず、周波数の優先順位を上げられたセット内の１つ以上の周波数の優先順位を上げると決定することができる。別の例において、ＵＥは、ＣＳＧまたはＭＢＭＳの優先度ではなく優先順位下げのリクエストを考慮するかどうか（また逆も同様）を示す構成に少なくとも部分的に基づいて、周波数の優先順位が上げられたセット内の１つ以上の周波数の優先順位を上げるかどうかを決定し得る。さらに別の例において、ＵＥは、コマンドに基づいて周波数の優先順位を上げられたセット内の１つ以上の周波数の優先順位を下げるかどうかを決定する際に１つ以上の閾値に対して１つ以上の通信パラメータを評価することができる。
【００１６】
[0020]  図１−３を参照すると、態様は、本明細書で説明されるアクションまたは機能を実行し得る１つ以上のコンポーネントおよび１つ以上の方法を参照して描かれる。図２および３において以下に説明される動作は特定の順序で、および／または例示的なコンポーネントによって実行されているとして示されるが、アクションを実行するコンポーネントおよびアクションの順序は、実現に応じて変化され得ると理解されるべきである。さらに、以下のアクションまたは機能は、特別にプログラムされたプロセッサ、特別にプログラムされたソフトウェアまたはコンピュータ可読媒体を実行するプロセッサ、または、説明されるアクションまたは機能を実行することができるハードウェアコンポーネントおよび／またはソフトウェアコンポーネントの任意の他の組み合わせによって実行され得ると理解されるべきである。
【００１７】
[0021]  図１は、例示的な構成に従って、ワイヤレス通信のためのシステム１００を例示する概略図である。図１は、ワイヤレスネットワークにアクセスするために１つ以上のネットワークノード１０４と通信するＵＥ１０２を含む。１つのＵＥ１０２および１つのネットワークノード１０４が示されるが、複数のＵＥ１０２がネットワークノード１０４と通信することができることができること、ＵＥ１０２が複数のネットワークノード１０４と通信することができること、および／または同様のことが理解されるべきである。さらに、ＵＥ１０２が、実質的に、ネットワークノード１０４と通信するためのリソースを受信することができるあらゆるネットワークデバイスであり得ることが理解されるべきである。同様に、ネットワークノード１０４は、実質的に、１つ以上のデバイスがそれらと通信することを可能にするためのリソースグラントを生成する任意のネットワークノードであることができる。
【００１８】
[0022]  ＵＥ１０２は、１つ以上のネットワークノード１０４との通信を管理するための通信コンポーネント１１０を含むことができ、それは、ＵＥ１０２がモバイルネットワーク内を移動すると、１つ以上のネットワークノード１０４（例えば、および／またはそれのセル）中でセルの再選択を実行することを含み得る。通信コンポーネント１１０は、セルの再選択においてセルを測定するための周波数の優先順位を上げられたセット１１４を決定するための周波数優先度コンポーネント１１２、１つ以上の周波数に関連する優先順位下げコマンドを受信するための優先順位下げコマンド受信コンポーネント１１６、および再選択のためにセルを測定し、自律検索機能を実行し、再選択のためにセルを評価し、１つ以上のセルに対して再選択するためのセル再選択コンポーネント１１８、またはセルの再選択に関連する他の手順、等を含み得る。セル再選択コンポーネント１１８は、周波数の優先順位を上げられたセット１１４内の１つ以上の周波数の優先順位を下げるためのコマンドを考慮するかどうかに関連する１つ以上のルールを受信するためのルール受信コンポーネント１２０、および／または周波数の優先順位を上げられたセット１１４内の１つ以上の周波数の優先順位を下げるためのコマンドを考慮するかどうかを決定する際にＵＥ１０２とネットワークノードとの間の通信の１つ以上のパラメータを評価するためのパラメータ評価コンポーネント１２２をオプションとして含み得る。
【００１９】
[0023]  ネットワークノード１０４はまた、例えば、１つ以上のブロードキャストまたは専用信号を送信するために、１つ以上のＵＥ１０２と通信するための通信コンポーネント１３０を含むことができる。通信コンポーネント１３０は、セルの再選択／自律選択機能において測定するための周波数の優先順位を上げられたセットを決定する際に１つ以上の周波数の優先順位を下げるためのコマンドを考慮するかどうかに関連する１つ以上のＵＥに１つ以上のルールを供給するためのルール提供コンポーネント１３２を含むことができる。
【００２０】
[0024]  ＵＥ１０２は、例えば、スマートフォン、セルラ電話、携帯電話、ラップトップコンピュータ、タブレットコンピュータ、または別のデバイス（例えば、コンピュータに接続されたモデム）腕時計、携帯情報端末、パーソナルモニタリングデバイス、マシンモニタリングデバイス、マシンツーマシン通信デバイス、等にテザリングされた、スタンドアロンデバイスであることができる他のポータブルネットワーク化されたデバイス、のような任意のタイプの移動体デバイスを備え得るが、それに限定されない。加えて、ＵＥはまた、当業者によって、モバイル局、加入者局、モバイルユニット、加入者ユニット、ワイヤレスユニット、リモートユニット、モバイルデバイス、モバイル通信デバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の適切な専門用語で称され得る。一般に、ＵＥは、持ち運び可能であると考えられるのに十分に軽量かつ小型であり、本明細書で説明される１つ以上のオーバージエアー（ＯＴＡ：over-the-air）通信プロトコルを使用するＯＴＡ通信リンクを介して、ワイヤレスに通信するように構成され得る。さらに、いくつかの例では、ＵＥは、複数の別個の加入者、複数の無線リンク、および／または同様のものを介した複数の別個のネットワーク上で通信を容易にするように構成され得る。
【００２１】
[0025]  さらに、ネットワークノード１０４は、基地局（ＢＳ）、ノードＢ、ｅノードＢ（ｅＮＢ）、リレー、ピアツーピアデバイス、認証、認可、アカウンティング（ＡＡＡ）サーバ、移動交換局（ＭＳＣ）、移動管理エンティティ（ＭＭＥ）、無線ネットワークコントローラ（ＲＮＣ）、小さなセル、等を含めて、マクロセル、アクセスポイントのような任意のタイプのネットワークモジュールのうちの１つ以上を備え得る。本明細書で使用される場合、用語「小さなセル」は、アクセスポイントまたはアクセスポイントの対応するカバレッジエリアを指し、ここで、このケースにおけるアクセスポイントは、例えば、マクロセルまたはマクロネットワークアクセスポイントのカバレッジエリアまたは送信電力と比べて、比較的小さいカバレッジまたは比較的低い送信電力を有する。例えば、マクロセルは、例えば、半径数キロメートルのような、比較的大きい地理的エリアをカバーし得るが、それに限定されない。対照的に、小さなセルは、例えば、家庭（home）、ビル、またはビルのフロアのような、比較的狭い地理的エリアをカバーし得るが、それに限定されない。よって、小さなセルは、例えば、ＢＳ、アクセスポイント、フェムトノード、フェムトセル、ピコセル、マイクロノード、ノードＢ、ｅＮＢ、ホームノードＢ（ＨＮＢ）、ホーム発展型ノードＢ（ＨｅＮＢ）のような、装置を含み得るが、それに限定されない。従って、本明細書で使用されるような用語「小さなセル」は、マクロセルと比較して、比較的低い送信電力および／または比較的狭いカバレッジエリアのセルを指す。さらに、ネットワークノードは、ワイヤレスおよび／またはコアネットワークの１つ以上の他のネットワークノードと通信し得る。
【００２２】
[0026]  さらに、システム１００は、ワイドエリアネットワーク（ＷＡＮ）、ワイヤレスネットワーク（例えば、８０２．１１またはセルラネットワーク）、公衆交換電話ネットワーク（ＰＳＴＮ）ネットワーク、アドホックネットワーク、パーソナルエリアネットワーク（例えば、Ｂｌｕｅｔｏｏｔｈ（登録商標））、または、ネットワークプロトコルおよびネットワークタイプの他の組み合わせまたは順列（permutations）のような、任意のネットワークタイプを含み得るが、それに限定されない。そのようなネットワーク（複数を含む）は、単一のローカルエリアネットワーク（ＬＡＮ）またはワイドエリアネットワーク（ＷＡＮ）、または、インターネットのような、ＬＡＮまたはＷＡＮの組み合わせを含み得る。そのようなネットワークは、広帯域符号分割多元接続（Ｗ−ＣＤＭＡ（登録商標））システムを備え、この規格に従って、１つ以上のＵＥと通信し得る。当業者は、本明細書で説明される様々な態様が他の電気通信システム、ネットワークアーキテクチャ、および通信規格に拡大され得ることを容易に認識するであろう。例として、様々な態様は、時分割同期符号分割多元接続（ＴＤ−ＳＣＤＭＡ）、高速ダウンリンクパケット接続（ＨＳＤＰＡ）、高速アップリンクパケット接続（ＨＳＵＰＡ）、高速パケット接続プラス（ＨＳＰＡ＋）、および時分割ＣＤＭＡ（ＴＤ−ＣＤＭＡ）のような、他のユニバーサルモバイル電気通信システム（ＵＭＴＳ）システムに拡大され得る。様々な態様はまた、（周波数分割二重（ＦＤＤ）、時分割二重（ＴＤＤ）、または両方のモードにおける）ロングタームエボリューション（ＬＴＥ）、（ＦＤＤ、ＴＤＤ、または両方のモードにおける）ＬＴＥ−アドバンスト（ＬＴＥ−Ａ）、ＣＤＭＡ２０００、エボリューションデータオプティマイズド（ＥＶ−ＤＯ）、ウルトラモバイルブロードバンド（ＵＭＢ）、アメリカ電気電子通信学会（ＩＥＥＥ）８０２．１１（Ｗｉ−Ｆｉ）、ＩＥＥＥ８０２．１６（ＷｉＭＡＸ（登録商標））、ＩＥＥＥ８０２．２０、ウルトラワイドバンド（ＵＷＢ）、Ｂｌｕｅｔｏｏｔｈ、および／または他の適切なシステムを用いるシステムに拡大され得る。用いられる実際の電気通信規格、ネットワークアーキテクチャ、および／または通信規格は、システムに課された全体的な設計制約および特定のアプリケーションに依存するだろう。ネットワーク（複数を含む）に結合される様々なデバイス（例えば、ＵＥ１０２および／またはネットワークノード１０４）が、１つ以上のワイヤードまたはワイヤレス接続を介してコアネットワークに結合され得る。
【００２３】
[0027]  図２は、セルの再選択においてセルを測定するための周波数のセットの優先順位を上げるための方法２００を例示する。方法２００は、ブロック２０２において、再選択のためのセルを測定する周波数のセットの優先順位を上げることを含み、ここにおいて、周波数のセット内の１つ以上の第１の周波数は、ＣＳＧのセルに対応する。周波数優先度コンポーネント１１２は、再選択のためのセルを測定する（例えば、周波数の優先順位を上げられたセット１１４内の）周波数のセットの優先順位を上げることができ、ここにおいて、周波数のセット内の１つ以上の第１の周波数は、ＣＳＧのセルに対応する。例えば、１つ以上の第１の周波数は、ＣＳＧセルを好むように（such to）再選択のためのセルを測定する際に１つ以上の第１の周波数が他の周波数より好ましくあり得るように、ＵＥ１０２がＣＳＧセルと（アイドルまたはアクティブモードで）通信するサービング周波数（例えば、ネットワークノード１０４がＣＳＧセルを提供する）、ＵＥ１０２がＣＳＧセルと以前に成功裏に通信した（例えば、本明細書ではＣＳＧセルに訪れたＵＥ１０２とも称される）１つ以上の周波数、等を含むことができる。ＣＳＧセルは、（例えば、オープンアクセスセルとは対照的な）クローズドアクセスセル、メンバーＵＥおよび非メンバーＵＥへの優先順位を上げられたアクセスを可能にするハイブリッドアクセスセル、および／または同類ものに対応し得ると理解されるべきである。
【００２４】
[0028]  さらに、一例において、周波数の優先順位を上げられたセット１１４は、（例えば、ＬＴＥで定義されるＳＩＢ３、ＳＩＢ４、ＳＩＢ５、ＳＩＢ６、ＳＩＢ７、ＳＩＢ８等における）他のネットワークノードまたはネットワークノード１０４からのシステム情報ブロック（ＳＩＢ）ブロードキャストの優先度において示される１つ以上の周波数、ネットワークノードからの専用シグナリングにおいて示される１つ以上の周波数、等を含み得る。このケースにおいて、例えば、周波数優先度コンポーネント１１２は、周波数の優先順位を上げられたセット１１４の優先順位を上げる際にネットワークノード１０４からのシグナリングにおいて示されたものよりＣＳＧセルに対応する１つ以上の第１の周波数の優先順位を上げ得る。これは、周波数の優先順位を上げられたセット１１４内の１つ以上の第１の周波数の優先順位を上げること、および／またはそのセットの前に測定されるべき周波数の別のセットを生成することを含み得る。
【００２５】
[0029]  方法２００はまた、ブロック２０４において、再選択のために１つ以上の第２の周波数の優先順位を下げるためのコマンドを受信することを含むことができる。優先順位下げコマンド受信コンポーネント１１６は、再選択のために１つ以上の第２の周波数の優先順位を下げるためのコマンドを受信し得る。説明されたように、例えば、優先順位下げコマンド受信コンポーネント１１６は、サービング周波数、１つ以上のさらなる周波数、ＥＵＴＲＡ周波数全体、および／または同類のものの優先順位を下げることを示すＲＲＣＣｏｎｎｅｃｔｉｏｎＲｅｊｅｃｔにおけるコマンドまたは他のメッセージをネットワークノード１０４から受信することができる。さらに、例えば、優先順位下げコマンド受信コンポーネント１１６は、示された周波数の優先順位を下げる時間（例えば、Ｔ３２５タイマ）を決定し、それは、ＵＥ１０２において構成された時間、ネットワークノード１０４または他のネットワークノードによって構成された時間、等であり得る。さらに、周波数優先度コンポーネント１１２は、コマンドによって示された１つ以上の第２の周波数に少なくとも部分的に基づいて、周波数の優先順位を上げられたセット１１４を従来通りに更新し得る、および／または周波数の優先順位を上げられたセット１１４内の周波数の優先度を後に低下させるための別個の優先順位下げリスト（図示せず）に１つ以上の第２の周波数を記憶し得ることが理解されるべきであり、ここで、周波数はまた、優先順位下げリストに存在する。
【００２６】
[0030]  いずれの場合でも、優先順位下げコマンドがＣＳＧ周波数として優先順位を上げられた１つ以上の周波数を示す場合、ＵＥ１０２は優先順位下げコマンドに従い、別の周波数上のセルに対して再選択するが、その後、ＵＥ１０２はＣＳＧ周波数に続けて優先順位を上げ、ＣＳＧ周波数上のセルに対して再選択を実行し得る。ＵＥ１０２は、その後、ＣＳＧ周波数のための優先順位下げコマンドを再度受信し得る（または別の方法で、ＣＳＧ周波数が関連しているタイマに基づいて依然として優先順位下げられるべきであると決定する）、および他の周波数上でセルに対して再選択し得る、等。従って、本明細書でさらに説明されるように、セル再選択コンポーネント１１８は、ＣＳＧ周波数として優先順位を上げられた周波数に関する優先順位下げコマンドに従うかそれを無視するかを決定することができる。
【００２７】
[0031]  従って、方法２００は、ブロック２０６において、コマンドに少なくとも部分的に基づいて周波数の優先順位を上げられたセット内の１つ以上の第２の周波数の優先順位を下げるかどうかを決定することを含み得る。優先順位下げコマンド受信コンポーネント１１６は、コマンドに少なくとも部分的に基づいて周波数の優先順位を上げられたセット１１４内の前記１つ以上の第２の周波数の優先順位を下げるかどうかを決定することができる。例えば、優先順位下げコマンド受信コンポーネント１１６がコマンドに基づいて周波数の優先順位を下げると決定した場合、コマンドの優先順位を下げることは、周波数の優先順位を上げられたセット１１４内の１つ以上の第２の周波数の優先度を低下させること（例えば、それに応じてセットが優先度ベースの順である場合には周波数の優先順位を上げられたセットの順を修正する、セット内の１つ以上の第２の周波数の優先度の値を修正する、等）、再選択のためのセルを測定するような１つ以上の機能を実行するためのリスト使用する場合は１つ以上の第２の周波数を考慮することを控えること、等を行う優先順位下げコマンド受信コンポーネント１１６を含み得る。
【００２８】
[0032]  方法２００はまた、ブロック２０８において、周波数のセットのそれぞれの優先度に少なくとも部分的に基づいて周波数の優先順位を上げられたセット上で１つ以上のセルを測定することを含み得る。セル再選択コンポーネント１１８は、周波数のセットのそれぞれの優先度に少なくとも部分的に基づいて周波数の優先順位を上げられたセット上で１つ以上のセルを測定することができる。例えば、周波数の優先順位を上げられたセット１１４は、セルを測定する際に評価するための各周波数の対応する優先度に関して順序付けられた（またはランク付けされた）周波数のリストであり得る。別の例において、周波数の優先順位を上げられたセット１１４は、セット内の周波数のために示された優先度（例えば、番付）を含み得る。従って、セル再選択コンポーネント１１８は、セルの再選択のために１つ以上のトリガを検出することに基づいて周波数の優先順位を上げられたセット１１４内の１つ以上の周波数上でセル測定を実行することができる。例えば、セル測定は、任意の信号強度、品質、または、再選択がそれに対して実行される場合、セルを経験した通信品質を示し得る同様の測定を実質的に含むことができる。ブロック２０８において１つ以上のセルを測定することは、説明されたように、セルの再選択手順、および／または、説明されたように、再選択のためのセルを測定する際に考慮すべきＣＳＧセルを決定することに関して実行される自律検索機能の一部であり得る。
【００２９】
[0033]  同様に、この点について、方法２００はまた、ブロック２１０において、再選択のために１つ以上のセルを評価することと、ブロック２１２において、１つ以上のセルに対して再選択を実行することをオプションとして含み得る。セル再選択コンポーネント１１８は、再選択のために１つ以上のセルを評価し得る、および／または１つ以上のセルに対して再選択を実行し得る。例えば、セル再選択コンポーネント１１８は、１つ以上のセルに対して再選択を実行するかどうかを決定する際に、１つ以上のセルのセル測定および／またはそれの他のパラメータ（例えば、負荷インジケータ、他の品質メトリック、セルからのブロードキャストメッセージングにおいて受信されたパラメータ、等）を評価し得る。
【００３０】
[0034]  一例において、ブロック２０６において１つ以上の第２の周波数の優先順位を下げるかどうかを決定することは、ブロック２１４において、コマンドに少なくとも部分的に基づいて１つ以上の第２の周波数の優先順位を下げることを含み得る。優先順位下げコマンド受信コンポーネント１１６は、コマンドに少なくとも部分的に基づいて（例えば、周波数の優先順位を上げられたセット１１４内の）１つ以上の第２の周波数の優先順位を下げ得る。この点において、ＣＳＧとして優先順位を上げられた周波数（例えば、１つ以上の第１の周波数）が優先順位を下げられるべき周波数（例えば、１つ以上の第２の周波数）を含む場合、含まれた周波数は、周波数の優先順位を上げられたセット１１４において優先順位を下げられ得るので、ＣＳＧ周波数の優先順位を上げることより優先順位下げコマンドを順守する（honoring）。よって、例えば、ブロック２０８においてセルを測定することは、優先順位を下げられた周波数が現在または以前のサービングＣＳＧセルの周波数として優先順位を上げられた周波数を含むかどうかにかかわらず、再選択のためのセルを測定する際に最も優先度の低い周波数として優先順位を下げられた周波数（例えば、１つ以上の第２の周波数）を考慮すること、セルの再選択のための自律検索機能を実行する際に優先順位下げられた周波数を除外すること、等を含み得る。
【００３１】
[0035]  別の例において、ブロック２０６において１つ以上の第２の周波数の優先順位を下げるかどうかを決定することは、ブロック２１６において、コマンドにかかわらず１つ以上の第２の周波数の優先順位を下げることを控えることを含み得る。優先順位下げコマンド受信コンポーネント１１６は、コマンドにかかわらず（例えば、周波数の優先順位を上げられたセット１１４内の）１つ以上の第２の周波数の優先順位を下げることを控え得る。この点において、ＣＳＧとして優先順位を上げられた周波数（例えば、１つ以上の第１の周波数）が優先順位を下げられるべき周波数（例えば、１つ以上の第２の周波数）を含む場合、優先順位下げコマンドは無視され得るので、優先順位下げコマンドを受信することよりＣＳＧ周波数としての周波数の優先順位上げを順守する。よって、例えば、ブロック２０８においてセルを測定することは、周波数が優先順位下げコマンドに示されるかどうかにかかわらず、セルの再選択の一部としての自律検索機能において以前に訪れたＣＳＧセルのそれらとして優先順位を上げられた周波数を検出することを含み得る。さらに、一例において、ブロック２０８においてセルを測定することは、セルの再選択の一部として、およびサービング周波数が優先順位下げコマンドに示されるかどうかにかかわらず、最も優先度の高い周波数としてサービングセルを検出することを含み、ここで、ＵＥは、セルを測定するとき、サービング周波数上のＣＳＧセル（例えば、ネットワークノード１０４によって提供されるセル）にキャンプしている。
【００３２】
[0036]  別の例において、ブロック２０６において１つ以上の第２の周波数の優先順位を下げるかどうかを決定することは、ブロック２１８において、１つ以上の構成されたルールに少なくとも部分的に基づいて１つ以上の第２の周波数の優先順位を下げるかどうかを決定することを含み得る。セル再選択コンポーネント１１８は、１つ以上の構成されたルールに少なくとも部分的に基づいて１つ以上の第２の周波数の優先順位を下げるかどうかを決定することができる。例えば、ルール受信コンポーネント１２０は、優先順位下げコマンドおよび／またはその逆に基づいて周波数の優先順位下げより以前に訪れたＣＳＧセルの周波数として決定された周波数の優先度を順守するかどうかに関する１つ以上のルールを取得することができる。一例において、１つ以上のルールは、ＵＥ１０２内に構成され得る（例えば、メモリ内にハードコーディングされる、ＵＥ１０２に関する加入情報または構成に記憶される、ネットワーク上でＵＥ１０２の構成中にネットワークノードから受信される、それとの通信を確立する際にネットワークノード１０４から受信される、等）。一例において、ルール提供コンポーネント１３２は、そのようなルールをＵＥ１０２に生成および／または供給し、ルール受信コンポーネント１２０は、この点においてルール提供コンポーネント１３２から１つ以上のルールを取得することができる。
【００３３】
[0037]  例えば、１つ以上のルールは、優先順位下げコマンドに基づいてＣＳＧセルの周波数として優先順位を上げられた周波数の優先順位を下げるかどうかに関するデフォルトのルールを指定し得る、および／または１つ以上の周波数について１つの周波数ごとにこれを指定し得る。いずれの場合でも、セル再選択コンポーネント１１８は、ルール受信コンポーネント１２０によって受信されたルールを考慮し、周波数の優先順位を上げられたセット１１４内の１つ以上の第１の周波数に含まれ得る１つ以上の第２の周波数の優先順位を下げるかどうかを決定する際に、ルール（例えば、デフォルトのルール、所定の周波数のためのルール、等）のうちの１つ以上を適用し得る。
【００３４】
[0038]  別の例において、ブロック２０６において１つ以上の第２の周波数の優先順位を下げるかどうかを決定することは、ブロック２２０において、１つ以上の通信パラメータを評価することに少なくとも部分的に基づいて１つ以上の第２の周波数の優先順位を下げるかどうかを決定することを含み得る。パラメータ評価コンポーネント１２２は、１つ以上の通信パラメータを評価することに少なくとも部分的に基づいて１つ以上の第２の周波数の優先順位を下げるかどうかを決定することができる。例えば、１つ以上の通信パラメータは、ＵＥ１０２におけるサービングセルの受信された信号レベル（Ｓｒｘｌｅｖ）のような、サービングセル（例えば、ネットワークノード１０４によって提供されるセル）と通信することに関連し得る。例えば、パラメータ評価コンポーネント１２２は、１つ以上の第２の周波数の優先順位を下げるかどうかを決定する際に、１つ以上の通信パラメータを閾値と比較することができる。特定の例において、パラメータ評価コンポーネント１２２は、Ｓｒｘｌｅｖが閾値に達するかどうかを決定し、もしそうであれば、セル再選択コンポーネント１１８は、周波数が以前に訪れたＣＳＧセルの周波数として優先順位を上げられた１つ以上の第１の周波数を含むかどうかにかかわらず、周波数の優先順位を上げられたセット１１４内の１つ以上の第２の周波数の優先度を少なくとも一時的に下げることができる。Ｓｒｘｌｅｖが閾値に達しない場合、セル再選択コンポーネント１１８は、以前に訪れたＣＳＧセルの周波数として優先順位を上げられた１つ以上の第１の周波数にも存在する優先順位下げコマンドに示される周波数の優先順位を下げることを少なくとも一時的に控えることができる。これは、セル再選択コンポーネント１１８が、以前に訪れたＣＳＧセルの周波数上でセルに対して潜在的に再選択することを可能にし、ここで、サービングセルのＳｒｘｌｅｖは閾値に達しない。
【００３５】
[0039]  図３は、セルの再選択においてセルを測定するための周波数のセットの優先順位を上げるための方法３００を例示する。方法３００は、ブロック３０２において、再選択のためのセルを測定する周波数のセットの優先順位を上げることを含み、ここにおいて、周波数のセット内の１つ以上の第１の周波数は、ＭＢＭＳ周波数に対応する。周波数優先度コンポーネント１１２は、再選択のためのセルを測定する（例えば、周波数の優先順位を上げられたセット１１４内の）周波数のセットの優先順位を上げることができ、ここにおいて、周波数のセット内の１つ以上の第１の周波数は、ＭＢＭＳ周波数に対応する。例えば、１つ以上の第１の周波数は、ＭＢＭＳサービスを提供することができるセルとＵＥ１０２が（アイドルまたはアクティブモードで）通信しているサービング周波数を含むことができ、それは、ネットワークノード１０４によってブロードキャストされた１つ以上のＳＩＢ（例えば、ＳＩＢ１５における周波数のためのサービスエリア識別子（ＳＡＩ））、ネットワークノード１０４による１つ以上のユニバーサルサービスディスクリプション（ＵＳＤ）、等に示され得る。一例において、ＵＥ１０２は、ＭＢＭＳサービスを受信するまたは受信することに関心があり、この点において周波数のセットの優先順位を上げることは、再選択されたセルにおいてＭＢＭＳサービスの利用可能性を継続するこの決定に基づき得る。
【００３６】
[0040]  さらに、説明されたように、周波数の優先順位を上げられたセット１１４は、ネットワークノード１０４または他のネットワークノードからのＳＩＢブロードキャストの優先度に示された１つ以上の周波数を含み得る。このケースにおいて、例えば、周波数優先度コンポーネント１１２は、周波数の優先順位を上げられたセット１１４の優先順位を上げる際に、ネットワークノード１０４からのシグナリングに示されたものよりＭＢＭＳ周波数に対応する１つ以上の第１の周波数の優先順位を上げ得る。これは、周波数の優先順位を上げられたセット１１４内の１つ以上の第１の周波数の優先順位を上げること、および／またはそのセットの前に測定されるべき周波数の別のセットを生成することを含み得る。
【００３７】
[0041]  方法３００はまた、図２の方法３００について示され、説明されたそれらと同様のステップを含むことができ、それは、ブロック２０４において、再選択のために１つ以上の第２の周波数の優先順位を下げるためのコマンドを受信すること、ブロック２０６において、コマンドに少なくとも部分的に基づいて周波数の優先順位を上げられたセット内の１つ以上の第２の周波数の優先順位を下げるかどうかを決定すること、ブロック２０８において、周波数のセットのそれぞれの優先度に少なくとも部分的に基づいて周波数の優先順位を上げられたセットにわたって１つ以上のセルを測定すること、ブロック２１０において、再選択のために１つ以上のセルを評価すること、および／または、ブロック２１２において、１つ以上のセルに対して再選択を実行することを含む。よって、ＣＳＧ周波数についてＭＢＭＳ周波数と同様に上述したように、優先順位下げコマンド受信コンポーネント１１６は、コマンドを受信することができ、セル再選択コンポーネント１１８は、コマンドに少なくとも部分的に基づいて周波数の優先順位を上げられたセット１１４内の１つ以上の第２の周波数の優先順位を下げるかどうかを決定することができ、セル再選択コンポーネント１１８は、周波数の優先順位を上げられたセットにわたって１つ以上のセルを測定し、１つ以上のセルを評価し、および／または再選択を実行することができる。
【００３８】
[0042]  よって、例えば、（例えば、ブロック２０４において）優先順位下げコマンド受信コンポーネント１１６によって受信された優先順位下げコマンドがＭＢＭＳ周波数として優先順位を上げられた１つ以上の周波数を示す場合、ＵＥ１０２は優先順位下げコマンドに従い、別の周波数上のセルに対して再選択するが、その後、ＵＥ１０２はＭＢＭＳ周波数に続けて優先順位を上げ、ＭＢＭＳ周波数上のセルに対して再選択を実行し得る。ＵＥ１０２は、その後、ＭＢＭＳ周波数のための優先順位下げコマンドを再度受信し得る（または別の方法で、ＭＢＭＳ周波数が関連しているタイマに基づいて優先順位を下げられるべきであると決定する）、および他の周波数上でセルに対して再選択し得る、等。従って、本明細書でさらに説明されるように、セル再選択コンポーネント１１８は、ＭＢＭＳ周波数として優先順位を上げられた周波数に関する優先順位下げコマンドに従うかそれを無視するかを決定することができる。
【００３９】
[0043]  一例において、ブロック２０６において１つ以上の第２の周波数の優先順位を下げるかどうかを決定することは、ブロック２１４において、コマンドに少なくとも部分的に基づいて１つ以上の第２の周波数の優先順位を下げることを含み得る。説明されたように、優先順位下げコマンド受信コンポーネント１１６は、コマンドに少なくとも部分的に基づいて（例えば、周波数の優先順位を上げられたセット１１４内の）１つ以上の第２の周波数の優先順位を下げ得る。この点において、ＭＢＭＳとして優先順位を上げられた周波数（例えば、１つ以上の第１の周波数）が優先順位を下げられるべき周波数（例えば、１つ以上の第２の周波数）を含む場合、含まれた周波数は、周波数の優先順位を上げられたセット１１４において優先順位を下げられ得るので、ＭＢＭＳ周波数の優先順位を上げることより優先順位下げコマンドを順守する。よって、例えば、ブロック２０８においてセルを測定することは、優先順位を下げられた周波数がＭＢＭＳ周波数として優先順位を上げられた周波数（例えば、ＭＢＭＳサービスを提供するサービングセルの周波数）を含むかどうかにかかわらず、再選択のためにセルを測定する際に最も優先度の低い周波数として優先順位を下げられた周波数（例えば、１つ以上の第２の周波数）を考慮することを含み得る。
【００４０】
[0044]  別の例において、ブロック２０６において１つ以上の第２の周波数の優先順位を下げるかどうかを決定することは、ブロック２１６において、コマンドにかかわらず１つ以上の第２の周波数の優先順位を下げることを控えることを含み得る。説明されたように、優先順位下げコマンド受信コンポーネント１１６は、コマンドにかかわらず（例えば、周波数の優先順位を上げられたセット１１４内の）１つ以上の第２の周波数の優先順位を下げることを控え得る。この点において、ＭＢＭＳ周波数として優先順位を上げられた周波数（例えば、１つ以上の第１の周波数）が優先順位を下げられるべき周波数（例えば、１つ以上の第２の周波数）を含む場合、優先順位下げコマンドが無視され得るので、優先順位下げコマンドを受信することよりＭＢＭＳ周波数としての周波数の優先順位上げを順守する。よって、例えば、ブロック２０８においてセルを測定することは、サービング周波数が優先順位下げコマンドに示されるかどうかにかかわらず、サービングセル（例えば、ネットワークノード１０４によって提供されるセル）が最も優先度の高い周波数としてＭＢＭＳサービスを提供することができるサービング周波数を検出することを含み得る。
【００４１】
[0045]  さらに、方法３００は、ブロック３０４において、ＭＢＭＳサービスを受信する能力を決定することを含み得る。優先順位下げコマンド受信コンポーネント１１６は、ＭＢＭＳサービスを受信するためにＵＥの能力を決定し、それは、１つ以上の第２の周波数の優先順位を下げるかどうかの決定に影響を与え得る。一例において、優先順位下げコマンド受信コンポーネント１１６は、ＵＥ１０２がＭＢＭＳサービス継続性が可能かどうか、ＵＥがＭＢＭＳサービスを受信しているのかそれを受信することに興味があるかどうか、ＭＢＭＳサービスが提供されることができる周波数にキャンプしている間にＵＥがＭＢＭＳサービスを受信することができるかどうか、等のような１つ以上の構成に基づいてＭＢＭＳサービスを受信するための能力を決定することができる。例えば、優先順位下げコマンド受信コンポーネント１１６は、そのようなパラメータを、（例えば、ＵＥ１０２の加入情報またはメモリに記憶されたまたはハードコーディングされた）ＵＥ１０２における構成、１つ以上のネットワークノードからＵＥ１０２によって受信された構成された、等から決定し得る。さらに、例えば、優先順位下げコマンド受信コンポーネント１１６は、測定されたセルがＳＩＢ１３をブロードキャストしているか、サービングセル（例えば、ネットワークノード１０４によって提供されるセル）のＳＩＢ１５がＭＢＭＳ ＵＳＤに含まれる周波数の１つ以上のＭＢＭＳ ＳＡＩについて示すか、および／またはＳＩＢ１５がサービンセルによってブロードキャストされず、周波数がＵＳＤに含まれるかに少なくとも部分的に基づいてＭＢＭＳサービスを受信するための能力を決定し得る。よって、例えば、優先順位下げコマンド受信コンポーネント１１６は、上記条件のうちの１つ以上がＭＢＭＳサービスを受信するための能力を決定する際に満たされるかどうかを決定し、そのような能力が決定された場合、優先順位下げコマンド受信コンポーネント１１６は、コマンドにかかわらず、１つ以上の第２の周波数の優先順位を下げることを控えると決定し得る。
【００４２】
[0046]  別の例において、ブロック２０６において１つ以上の第２の周波数の優先順位を下げるかどうかを決定することは、ブロック２１８において、１つ以上の構成されたルールに少なくとも部分的に基づいて１つ以上の第２の周波数の優先順位を下げるかどうかを決定することを含み得る。セル再選択コンポーネント１１８は、説明されたように、１つ以上の構成されたルールに少なくとも部分的に基づいて１つ以上の第２の周波数の優先順位を下げるかどうかを決定することができる。例えば、ルール受信コンポーネント１２０は、優先順位下げコマンドおよび／またはその逆に基づいて周波数の優先順位下げよりＭＢＭＳ周波数として決定された周波数の優先度を順守するかどうかに関する１つ以上のルールを取得することができる。一例において、１つ以上のルールは、ＵＥ１０２内に構成され得る（例えば、メモリ内にハードコーディングされる、ＵＥ１０２に関する加入情報または構成に記憶される、ネットワーク上でＵＥ１０２の構成中にネットワークノードから受信される、それとの通信を確立する際にネットワークノード１０４から受信される、等）。例えば、１つ以上のルールは、優先順位下げコマンドに基づいてＭＢＭＳ周波数として優先順位を上げられた周波数の優先順位を下げるかどうかに関するデフォルトのルールを指定し得る、および／または１つ以上の周波数に対して１つの周波数ごとにこれを指定し得る。いずれの場合でも、セル再選択コンポーネント１１８は、ルール受信コンポーネント１２０によって受信されたルールを考慮し、周波数の優先順位を上げられたセット１１４内の１つ以上の第１の周波数に含まれ得る１つ以上の第２の周波数の優先順位を下げるかどうかを決定する際に、ルール（例えば、デフォルトのルール、所定の周波数のためのルール、等）のうちの１つ以上を適用し得る。さらに、一例において、これは、上述したように、ＭＢＭＳサービスを受信するための能力を決定する優先順位下げコマンド受信コンポーネント１１６を含むことができる。
【００４３】
[0047]  別の例において、ブロック２０６において１つ以上の第２の周波数の優先順位を下げるかどうかを決定することは、ブロック２２０において、１つ以上の通信パラメータを評価することに少なくとも部分的に基づいて１つ以上の第２の周波数の優先順位を下げるかどうかを決定することを含み得る。パラメータ評価コンポーネント１２２は、説明されたように、１つ以上の通信パラメータを評価することに少なくとも部分的に基づいて１つ以上の第２の周波数の優先順位を下げるかどうかを決定することができる。例えば、説明されたように、１つ以上の通信パラメータは、ＵＥ１０２におけるサービングセルの受信された信号レベル（Ｓｒｘｌｅｖ）のような、サービングセル（例えば、ネットワークノード１０４によって提供されるセル）と通信することに関連し得る。特定の例において、パラメータ評価コンポーネント１２２は、Ｓｒｘｌｅｖが閾値に達するかどうかを決定し、もしそうであれば、セル再選択コンポーネント１１８は、周波数がＭＢＭＳ周波数として優先順位を上げられた１つ以上の第１の周波数を含むかどうかにかかわらず、周波数の優先順位を上げられたセット１１４内の１つ以上の第２の周波数の優先度を少なくとも一時的に下げることができる。Ｓｒｘｌｅｖが閾値に達しない場合、セル再選択コンポーネント１１８は、ＭＢＭＳ周波数として優先順位を上げられた１つ以上の第１の周波数にも存在する優先順位下げコマンドに示される周波数の優先順位を下げることを少なくとも一時的に控えることができる。さらに、一例において、これは、上述したように、ＭＢＭＳサービスを受信するための能力を決定する優先順位下げコマンド受信コンポーネント１１６を含むことができる。
【００４４】
[0048]  図４は、処理システム４１４を用いる装置４００のためのハードウェアの実現の一例を例示する概念図である。いくつかの例において、処理システム４１４は、ＵＥ、ネットワークノード、等、またはＵＥのコンポーネント（例えば、図１のＵＥ１０２）、ネットワークノード１０４のコンポーネント（例えば、図１のネットワークノード１０４）を備え得る。この例において、処理システム４１４は、概してバス４０２によって表されるバスアーキテクチャで実現され得る。バス４０２は、処理システム４１４の特定アプリケーションと全体的な設計制約に依存して任意の数の相互接続バスおよびブリッジを含み得る。バス４０２は、概してプロセッサ４０４によって表される１つ以上のプロセッサ、概してコンピュータ可読媒体４０６によって表されるコンピュータ可読媒体、通信コンポーネント１１０、通信コンポーネント１３０（図１）、そのコンポーネント、等を含む様々な回路を共にリンクし、それは、本明細書で説明される１つ以上の方法または手段（例えば、方法２００（図２）、方法３００（図３）、等）を実行するように構成され得る。
【００４５】
[0049]  バス４０２はまた、タイミングソース、周辺機器、電圧レギュレータ、および電力管理回路のような様々な他の回路をリンクさせることができ、それは、当該技術分野において周知である。バスインタフェース４０８は、バス４０２とトランシーバ４１０との間のインタフェースを提供する。トランシーバ４１０は、伝送媒体を介して様々な他の装置と通信するための手段を提供する。一例において、トランシーバ４１０は、本明細書で説明されたように、通信コンポーネント１１０、通信コンポーネント１３０（図１）、等の機能を含む、または実行することができ、それは、方法２００（図２）、方法３００（図３）、等について説明された態様を含む。装置の性質に依存して、ユーザインターフェース４１２（例えば、キーパッド、ディスプレイ、スピーカ、マイクロフォン、ジョイスティック）もまた提供され得る。
【００４６】
[0050]  プロセッサ４０４は、バス４０２の管理、およびコンピュータ可読媒体４０６に記憶されたソフトウェアの実行を含む一般的な処理を担当する。このソフトウェアは、プロセッサ４０４によって実行されると、処理システム４１４に、任意の特定の装置に関して後に説明される様々な機能を実行させる。コンピュータ可読媒体４０６はまた、ソフトウェアを実行する場合、プロセッサ４０４によって操作されるデータを記憶するために使用され得る。
【００４７】
[0051]  一態様において、プロセッサ４０４、コンピュータ可読媒体４０６、または両方の組み合わせは、本明細書に説明される通信コンポーネント１１０、通信コンポーネント１３０、そのコンポーネント、または様々な他のコンポーネントの機能を実行するように構成され得る、または別の方法では、そのように特にプログラムされ得る。例えば、プロセッサ４０４、コンピュータ可読媒体４０６、または両方の組み合わせは、本明細書に説明される通信コンポーネント１１０、通信コンポーネント１３０、そのコンポーネント、または様々な他のコンポーネント、および／または同様のものの機能を実行するように構成され得る、または別の方法では、そのように特にプログラムされ得る。よって、一例において、プロセッサ４０４は、周波数優先度コンポーネント１１２、優先順位下げコマンド受信コンポーネント１１６、セル再選択コンポーネント１１８、ルール受信コンポーネント１２０、パラメータ評価コンポーネント１２２、ルール提供コンポーネント１２３、等の機能を実行するように構成され、それは、図２のブロック２０２、２０４、２０６、２０８、２１０、２１２、２１４、２１６、２１８、２２０、等、図３のブロック３０２、３０４、２０４、２０６、２０８、２１０、２１２、２１４、２１６、２１８、２２０、等を実行すること含むことができる。
【００４８】
[0052]  図５は、ＭＩＭＯシステム５００におけるｅＮＢ５１０およびＵＥ５５０の実施形態のブロック図である。例えば、ｅＮＢ５１０は、本明細書で説明されたように、ネットワークノード１０４および／または通信コンポーネント１３０のような、それの１つ以上のコンポーネントを含み得る。同様に、ＵＥ５５０は、ＵＥ１０２、および／またはｅＮＢ５１０のセルから別のセルへのセル再選択を実行する、またはその可能な再選択のためのセルを少なくとも測定するための通信コンポーネント１１０のような、その１つ以上コンポーネントを含み、それは、本明細書で説明されたような、周波数のセットの優先順位上げを決定することに基づき得る。ｅＮＢシステム５１０において、いくつかのデータストリームのためのトラフィックデータが、データソース５１２から送信（ＴＸ）データプロセッサ５１４に提供される。
【００４９】
[0053]  一実施形態において、各データストリームは、それぞれの送信アンテナを介して送信される。ＴＸデータプロセッサ５１４は、コード化されたデータを提供するために、各データストリームのために選択された特定のコーディング方式に基づいて、そのデータストリームに関するトラフィックデータをフォーマット化、コード化、およびインタリーブする。
【００５０】
[0054]  データストリームごとのコード化されたデータは、ＯＦＤＭ技法を使用してパイロットデータと多重化され得る。パイロットデータは、典型的には、既知の方法で処理される既知のデータパターンであり、チャネル応答を推定するために受信機システムにおいて使用され得る。データストリームごとの多重化されたパイロットおよびコード化されたデータは、その後、そのデータストリームのために選択された特定の変調方式（例えば、ＢＰＳＫ、ＱＳＰＫ、Ｍ−ＰＳＫ、または、Ｍ−ＱＡＭ）に基づいて変調（すなわち、シンボルマッピング）されて、変調シンボルを提供する。データストリームごとのデータレート、コード化、および変調は、プロセッサ５３０によって実行される命令によって決定され得る。
【００５１】
[0055]  すべてのデータストリームに関する変調シンボルは、その後、ＴＸ ＭＩＭＯプロセッサ５２０へ提供され、それは、さらに（例えば、ＯＦＤＭのための）変調シンボルを処理し得る。ＴＸ ＭＩＭＯプロセッサ５２０は、その後、ＮＴ個の変調シンボルストリームをＮＴ個の送信機（ＴＭＴＲ）５２２ａ〜５２２ｔへ提供する。ある特定の実施形態において、ＴＸ ＭＩＭＯプロセッサ５２０は、データストリームのシンボルと、そのシンボルが送信されるアンテナとにビームフォーミング重みを適用する。
【００５２】
[0056]  各送信機５２２は、それぞれのシンボルストリームを受信および処理して、１つ以上のアナログ信号を提供し、そのアナログ信号をさらに調整（例えば、増幅、フィルタ処理、およびアップコンバート）して、ＭＩＭＯチャネルを介して送信に適した変調された信号を提供する。送信機５２２ａ〜５２２ｔからのＮＴ個の変調された信号は、その後、ＮＴ個のアンテナ５２４ａ〜５２４ｔからそれぞれ送信される。
【００５３】
[0057]  ＵＥ５５０において、送信された変調された信号は、ＮＲ個のアンテナ５５２ａ〜５５２ｒによって受信され、各アンテナ５５２から受信された信号は、それぞれの受信機（ＲＣＶＲ）５５４ａ〜５５４ｒに提供される。各受信機５５４は、それぞれの受信された信号を調整（例えば、フィルタ処理、増幅、およびダウンコンバート）し、調整された信号をデジタル化してサンプルを提供し、このサンプルをさらに処理して、対応する「受信された」シンボルストリームを提供する。
【００５４】
[0058]  その後、ＲＸデータプロセッサ５６０は、特定の受信機処理技法に基づいて、ＮＲ個の受信機５５４からＮＲ個の受信されたシンボルストリームを受信および処理して、ＮＴ個の「検出された」シンボルストリームを提供する。その後、ＲＸデータプロセッサ５６０は、各検出されたシンボルストリームを復調し、デインターリーブし、復号して、データストリームのためのトラフィックデータを復元する。ＲＸデータプロセッサ５６０による処理は、ｅＮＢ５１０においてＴＸ ＭＩＭＯプロセッサ５２０およびＴＸデータプロセッサ５１４によって実行されるものと相補的である。
【００５５】
[0059]  プロセッサ５７０は、どのプリコーディング行列を使用するかを定期的に決定する（以下に説明される）。プロセッサ５７０は、マトリックスインデックスの部分およびランク値の部分を備える逆方向リンクメッセージを形成する。
【００５６】
[0060]  逆方向リンクメッセージは、通信リンクおよび／または受信されたデータストリームに関する様々なタイプの情報を備え得る。逆方向リンクメッセージは、その後、ＴＸデータプロセッサ５３８によって処理され、それは、データソース５３６からのいくつかのデータストリームに関するトラフィックデータも受信もし、変調器５８０によって変調され、送信機５５４ａ〜５５４ｒによって調整され、ｅＮＢ５１０へ送り返される。
【００５７】
[0061]  ｅＮＢ５１０において、ＵＥ５５０からの変調された信号は、アンテナ５２４によって受信され、受信機５２２によって調整され、復調器５４０によって復調され、ＵＥ５５０によって送信された逆方向リンクメッセージを抽出するためにＲＸデータプロセッサ５４２によって処理される。その後、プロセッサ５３０は、ビームフォーミング重みを決定するためにどのプリコーディング行列を使用するかを決定し、その後、抽出されたメッセージを処理する。
【００５８】
[0062]  電気通信システムのいくつかの態様は、Ｗ−ＣＤＭＡシステムを参照して提示されている。当業者は、本明細書で説明された様々な態様が他の電気通信システム、ネットワークアーキテクチャ、および通信規格に拡大され得ることを容易に認識するであろう。
【００５９】
[0063]  例として、本明細書で説明された様々な態様は、Ｗ−ＣＤＭＡ、ＴＤ−ＳＣＤＭＡ、高速ダウンリンクパケットアクセス（ＨＳＤＰＡ）、高速アップリンクパケットアクセス（ＨＳＵＰＡ）、高速パケットアクセスプラス（ＨＳＰＡ＋）およびＴＤ−ＣＤＭＡのような、他のＵＭＴＳシステムに拡大され得る。様々な態様はまた、（ＦＤＤ、ＴＤＤ、または両方のモードにおける）ロングタームエボリューション（ＬＴＥ）、（ＦＤＤ、ＴＤＤ、または両方のモードにおける）ＬＴＥアドバンスド（ＬＴＥ−Ａ）、ＣＤＭＡ２０００、Ｅｖｏｌｕｔｉｏｎ−Ｄａｔａ Ｏｐｔｉｍｉｚｅｄ（ＥＶ−ＤＯ）、ウルトラモバイルブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、ウルトラワイドバンド（ＵＷＢ）、Ｂｌｕｅｔｏｏｔｈ、および／または他の適切なシステムを用いるシステムに拡大され得る。用いられる実際の電気通信規格、ネットワークアーキテクチャ、および／または通信規格は、システムに課された全体的な設計制約および特定のアプリケーションに依存するだろう。
【００６０】
[0064]  本明細書で説明された様々な開示の態様に従って、要素、または要素の任意の一部、または要素の任意の組み合わせは、１つ以上のプロセッサを含む「処理システム」で実現され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、離散ハードウェア回路、および本明細書で説明された様々な機能を実行するように構成された他の適切なハードウェアを含む。処理システムにおける１つ以上のプロセッサは、ソフトウェアを実行し得る。ソフトウェアは、ソフトウェア、ファームウェア、ミドルウェア、マイクロコード、ハードウェア記述言語、またはその他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。ソフトウェアは、コンピュータ可読媒体に存在し得る。コンピュータ可読媒体は、非一時的なコンピュータ可読媒体であり得る。非一時的なコンピュータ可読媒体は、例として、コンピュータによってアクセスおよび読み取られ得るソフトウェアおよび／または命令を記憶するための、磁気記憶デバイス（例えば、ハードディスク、フロッピー（登録商標）ディスク、磁気ストリップ）、光学ディスク（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、リムーバブルディスク、および任意の他の適切な媒体を含む。コンピュータ可読媒体はまた、例として、コンピュータによってアクセスおよび読み取られ得るソフトウェアおよび／または命令を送信するための、搬送波、伝送回線、および任意の他の適切な媒体を含み得る。コンピュータ可読媒体は、処理システム内に、処理システムの外部に存在し、または処理システムを含む複数のエンティティにわたって分散され得る。コンピュータ可読媒体は、コンピュータプログラム製品において具体化され得る。例として、コンピュータプログラム製品は、パッケージング材料内のコンピュータ可読媒体を含み得る。当業者は、システム全体に課された特定の用途および全体的な設計の制約に依存して、本明細書で説明された機能をどのように実現することが最善かを認識するだろう。
【００６１】
[0065]  開示された方法におけるステップの特定の順序または階層は、例示的なプロセスの例示であると理解されるべきである。設計の優先性に基づいて、本明細書で説明された方法または方法論におけるステップの特定の順序または階層は、並べ替えられ得るということが理解される。付随する方法の請求項は、サンプルの順序で様々なステップの要素を提示し、本明細書に明確に記載されていない限り、提示された特定の順序または階層に限定されるように意図されるものではない。
【００６２】
[0066]  先の説明は、いかなる当業者であっても、本明細書で説明された様々な態様を実現することを可能にするように提供される。これらの態様への様々な修正は、当業者にとって容易に明らかとなり、本明細書で定義された一般的な原理は、他の態様に適用され得る。従って、請求項は、本明細書に示される態様に限定されるように意図されておらず、請求項の文言と一貫する全範囲であると認められるべきであり、ここで、単数の要素への参照は、そのように明確に述べられていない限りは「１つおよび１つのみ」を意味するように意図されず、むしろ「１つ以上」を意味するように意図される。そうではないと明確に記載されていない限り、用語「いくつかの」は、１つ以上を意味する。項目のリスト「のうちの少なくとも１つ」に関する表現は、単一の要素を含む、それらの項目のうちの任意の組み合わせを指す。一例として、「ａ、ｂ、またはｃのうちの少なくとも１つ」は、ａ；ｂ；ｃ；ａおよびｂ；ａおよびｃ；ｂおよびｃ；およびａ、ｂおよびｃをカバーすることを意図する。当業者には既知の、または後に既知となる本明細書に説明された様々な態様の要素に対する全ての構造的および機能的な均等物は、参照により本明細書に明確に組み込まれ、特許請求の範囲により包含されるように意図されている。さらに、本明細書で開示されたものはいずれも、特許請求の範囲において明示的に記載されているかどうかにかかわらず、公共に捧げられるように意図されていない。特許請求の範囲の要素はいずれも、その要素が「〜のための手段」というフレーズを使用して明示的に記載されていない限り、または、方法の請求項の場合には、その要素が「〜するためのステップ」というフレーズを使用して記載されていない限り、米国特許法第１１２条（ｆ）の規定の下に解釈されるものではない。
以下に、本願の出願当初の特許請求の範囲に記載された発明を付記する。
［Ｃ１］
再選択においてセルを測定するための周波数を決定するための方法であって、
再選択のためのセルを測定する周波数のセットの優先順位を上げることと、ここにおいて、周波数の前記セット内の１つ以上の第１の周波数は、以前に訪れたクローズド加入者グループ（ＣＳＧ）のセルの周波数に対応する、
再選択のために１つ以上の第２の周波数の優先順位を下げるためのコマンドを受信することと、
前記コマンドに少なくとも部分的に基づいて周波数の前記優先順位を上げられたセット内の前記１つ以上の第２の周波数の優先順位を下げるかどうかを決定することと、
周波数の前記セットのそれぞれの優先度に少なくとも部分的に基づいて周波数の前記優先順位を上げられたセットにわたって１つ以上のセルを測定することと、
再選択のために前記１つ以上のセルを評価することと
を備える、方法。
［Ｃ２］
前記１つ以上の第２の周波数の優先順位を下げるかどうかを決定することは、サービングセルと通信することに関連している１つ以上のパラメータを評価することを備える、Ｃ１に記載の方法。
［Ｃ３］
前記１つ以上のパラメータは、前記サービングセルと通信することの品質を含む、Ｃ２に記載の方法。
［Ｃ４］
前記１つ以上の第２の周波数の優先順位を下げるかどうかを決定することは、１つ以上のセルを前記測定する際に、前記１つ以上の第２の周波数を除外すると決定することを備え、前記１つ以上のセルを前記測定することは、周波数の前記優先順位を上げられたセット内の前記１つ以上の第１の周波数の残りの部分にわたって自律検索機能を実行することを備える、Ｃ１に記載の方法。
［Ｃ５］
前記１つ以上の第２の周波数の優先順位を下げるかどうかを決定することは、前記コマンドにかかわらず、周波数の前記優先順位を上げられたセット内の前記１つ以上の第２の周波数の優先順位を下げることを控えることを備える、Ｃ１に記載の方法。
［Ｃ６］
前記１つ以上のセルを前記測定することは、周波数の前記優先順位を上げられたセットにわたって自律検索機能を実行することを備える、Ｃ５に記載の方法。
［Ｃ７］
前記１つ以上の第２の周波数の優先順位を下げるかどうかを決定することは、前記１つ以上の第１の周波数の少なくとも一部分に特有の１つ以上のルールに少なくとも部分的に基づく、Ｃ１に記載の方法。
［Ｃ８］
１つ以上のネットワークノードから前記１つ以上のルールを受信することをさらに備える、Ｃ７に記載の方法。
［Ｃ９］
再選択においてセルを測定するための周波数を決定するための装置であって、
再選択のためのセルを測定する周波数のセットの優先順位を上げるように構成された周波数優先度コンポーネントと、ここにおいて、周波数の前記セット内の１つ以上の第１の周波数は、以前に訪れたクローズド加入者グループ（ＣＳＧ）のセルの周波数に対応する、
再選択のために１つ以上の第２の周波数の優先順位を下げるためのコマンドを受信することと、前記コマンドに少なくとも部分的に基づいて周波数の前記優先順位を上げられたセット内の前記１つ以上の第２の周波数の優先順位を下げるかどうかを決定することとを行うように構成された優先順位下げコマンド受信コンポーネントと、
周波数の前記セットのそれぞれの優先度に少なくとも部分的に基づいて周波数の前記優先順位を上げられたセットにわたって１つ以上のセルを測定することと、再選択のために前記１つ以上のセルを評価することとを行うように構成されたセル再選択コンポーネントと
を備える、装置。
［Ｃ１０］
前記優先順位下げコマンド受信コンポーネントは、少なくとも部分的に、サービングセルと通信することに関連している１つ以上のパラメータを評価することによって、前記１つ以上の第２の周波数の優先順位を下げるかどうかを決定するように構成される、Ｃ９に記載の装置。
［Ｃ１１］
前記１つ以上のパラメータは、前記サービングセルと通信することの品質を含む、Ｃ１０に記載の装置。
［Ｃ１２］
前記優先順位下げコマンド受信コンポーネントは、１つ以上のセルを前記測定する際に、前記１つ以上の第２の周波数を除外するように構成され、前記セル再選択コンポーネントは、少なくとも部分的に、周波数の前記優先順位を上げられたセット内の前記１つ以上の第１の周波数の残りの部分にわたって自律検索機能を実行することによって、前記１つ以上のセルを測定するように構成される、Ｃ９に記載の装置。
［Ｃ１３］
前記優先順位下げコマンド受信コンポーネントは、前記コマンドにかかわらず、周波数の前記優先順位を上げられたセット内の前記１つ以上の第２の周波数の優先順位を下げることを控えるように構成される、Ｃ９に記載の装置。
［Ｃ１４］
前記セル再選択コンポーネントは、少なくとも部分的に、周波数の前記優先順位を上げられたセットにわたって自律検索機能を実行することによって、前記１つ以上のセルを測定するように構成される、Ｃ１３に記載の装置。
［Ｃ１５］
前記優先順位下げコマンド受信コンポーネントは、前記１つ以上の第１の周波数の少なくとも一部分に特有の１つ以上のルールに少なくとも部分的に基づいて前記１つ以上の第２の周波数の優先順位を下げるかどうかを決定するように構成される、Ｃ９に記載の装置。
［Ｃ１６］
１つ以上のネットワークノードから前記１つ以上のルールを受信するように構成されたルール受信コンポーネントをさらに備える、Ｃ１５に記載の装置。
［Ｃ１７］
再選択においてセルを測定するための周波数を決定するための方法であって、
再選択のためのセルを測定する周波数のセットの優先順位を上げることと、ここにおいて、周波数の前記セット内の１つ以上の第１の周波数は、マルチメディアブロードキャストマルチキャストサービス（ＭＢＭＳ）周波数に対応する、
再選択のために１つ以上の第２の周波数の優先順位を下げるためのコマンドを受信することと、
前記コマンドに少なくとも部分的に基づいて周波数の前記優先順位を上げられたセット内の前記１つ以上の第２の周波数の優先順位を下げるかどうかを決定することと、
周波数の前記セットのそれぞれの優先度に少なくとも部分的に基づいて周波数の前記優先順位を上げられたセットにわたって１つ以上のセルを測定することと、
再選択のために前記１つ以上のセルを評価することと
を備える、方法。
［Ｃ１８］
前記１つ以上の第２の周波数の優先順位を下げるかどうかを決定することは、サービングセルと通信することに関連している１つ以上のパラメータを評価することを備える、Ｃ１７に記載の方法。
［Ｃ１９］
前記１つ以上のパラメータは、前記サービングセルと通信することの品質を含む、Ｃ１８に記載の方法。
［Ｃ２０］
前記１つ以上の第２の周波数の優先順位を下げるかどうかを決定することは、１つ以上のセルを前記測定する際に、前記１つ以上の第２の周波数の優先順位を下げると決定することを備える、Ｃ１７に記載の方法。
［Ｃ２１］
前記１つ以上の第２の周波数の優先順位を下げるかどうかを決定することは、前記コマンドにかかわらず、周波数の前記優先順位を上げられたセット内の前記１つ以上の第２の周波数の優先順位を下げることを控えることを備える、Ｃ１７に記載の方法。
［Ｃ２２］
前記１つ以上の第２の周波数の優先順位を下げるかどうかを決定することは、前記１つ以上の第１の周波数の少なくとも一部分に特有の１つ以上のルールに少なくとも部分的に基づく、Ｃ１７に記載の方法。
［Ｃ２３］
１つ以上のネットワークノードから前記１つ以上のルールを受信することをさらに備える、Ｃ２２に記載の方法。
［Ｃ２４］
再選択においてセルを測定するための周波数を決定するための装置であって、
再選択のためのセルを測定する周波数のセットの優先順位を上げるように構成された周波数優先度コンポーネントと、ここにおいて、周波数の前記セット内の１つ以上の第１の周波数は、マルチメディアブロードキャストマルチキャストサービス（ＭＢＭＳ）周波数に対応する、
再選択のために１つ以上の第２の周波数の優先順位を下げるためのコマンドを受信することと、前記コマンドに少なくとも部分的に基づいて周波数の前記優先順位を上げられたセット内の前記１つ以上の第２の周波数の優先順位を下げるかどうかを決定することとを行うように構成された優先順位下げコマンド受信コンポーネントと、
周波数の前記セットのそれぞれの優先度に少なくとも部分的に基づいて周波数の前記優先順位を上げられたセットにわたって１つ以上のセルを測定することと、再選択のために前記１つ以上のセルを評価することとを行うように構成されたセル再選択コンポーネントと
を備える、装置。
［Ｃ２５］
前記優先順位下げコマンド受信コンポーネントは、少なくとも部分的に、サービングセルと通信することに関連している１つ以上のパラメータを評価することによって、前記１つ以上の第２の周波数の優先順位を下げるかどうかを決定するように構成される、Ｃ２４に記載の装置。
［Ｃ２６］
前記１つ以上のパラメータは、前記サービングセルと通信することの品質を含む、Ｃ２５に記載の装置。
［Ｃ２７］
前記優先順位下げコマンド受信コンポーネントは、１つ以上のセルを前記測定する際に、前記１つ以上の第２の周波数の優先順位を下げると決定するように構成される、Ｃ２４に記載の装置。
［Ｃ２８］
前記優先順位下げコマンド受信コンポーネントは、前記コマンドにかかわらず、周波数の前記優先順位を上げられたセット内の前記１つ以上の第２の周波数の優先順位を下げることを控えるように構成される、Ｃ２４に記載の装置。
［Ｃ２９］
前記優先順位下げコマンド受信コンポーネントは、前記１つ以上の第１の周波数の少なくとも一部分に特有の１つ以上のルールに少なくとも部分的に基づいて前記１つ以上の第２の周波数の優先順位を下げるかどうかを決定するように構成される、Ｃ２４に記載の装置。
［Ｃ３０］
１つ以上のネットワークノードから前記１つ以上のルールを受信するように構成されたルール受信コンポーネントをさらに備える、Ｃ２９に記載の装置。
【図１】
0006321304.tif 000002
【図２】
0006321304.tif 000003
【図３】
0006321304.tif 000004
【図４】
0006321304.tif 000005
【図５】
0006321304.tif 000006